(57)【要約】【課題】エキスパンダに水が流入するのを抑制して、エキスパンダを安定的に動作させることができる燃料電池システムを提供する。【解決手段】燃料電池システム１０は、燃料電池スタック１２を備えると共に、配管構造５０としてカソードガスを供給する供給管５２及びカソードオフガスを排出する排出管５４を備える。また、燃料電池システム１０は、エキスパンダ９８と、エキスパンダ９８の上方に配置されカソードオフガスに含まれる水を分離する排出側気液分離装置７８と、を備える。排出側気液分離装置７８の排水管１１４は、エキスパンダ９８よりも下流側の排出管５４の接続コネクタ１４２に接続され、且つ接続コネクタ１４２に向かって斜め下方に延在している。【選択図】図３
2020198180.tif 000002
【特許請求の範囲】
【請求項１】
燃料電池スタックと、
前記燃料電池スタックにカソードガスを供給する供給管と、
前記燃料電池スタックからカソードオフガスを排出する排出管と、
前記排出管に連通し前記カソードオフガスを膨張させるエキスパンダと、
前記燃料電池スタックと前記エキスパンダの間の前記排出管に設けられ、前記カソードオフガスに含まれる水を分離して排出する気液分離装置と、を備える燃料電池システムであって、
前記気液分離装置は、前記エキスパンダの上方に配置されると共に、前記水を排出する排水管を有し、
前記排水管は、前記エキスパンダよりも下流側の前記排出管の接続部に接続され、且つ前記気液分離装置から前記接続部に向かって前記エキスパンダから離間する方向へ斜め下方に延在している
燃料電池システム。
【請求項２】
請求項１記載の燃料電池システムにおいて、
前記エキスパンダと前記気液分離装置の間の前記排出管は、前記気液分離装置の上端部に接続されている
燃料電池システム。
【請求項３】
請求項２記載の燃料電池システムにおいて、
前記供給管と前記排出管の間には、前記供給管から前記排出管に前記カソードガスを流通可能なバイパス管が設けられ、
前記バイパス管は、前記気液分離装置に接続されている
燃料電池システム。
【請求項４】
請求項３記載の燃料電池システムにおいて、
前記供給管と前記バイパス管が接続される部分は、ユニット構造体として構成され、
前記ユニット構造体は、前記供給管として前記カソードガスを前記燃料電池スタックに向かわせる部分と、前記バイパス管として前記気液分離装置に連通する部分とを有する
燃料電池システム。
【請求項５】
請求項４記載の燃料電池システムにおいて、
前記燃料電池スタックと前記エキスパンダの間の前記供給管及び前記排出管には、前記水を含む前記カソードオフガスにより前記カソードガスを加湿する加湿器が設けられ、
前記気液分離装置は、前記加湿器の下流側の前記排出管に設けられ、且つ前記加湿器の下方に配置される
燃料電池システム。
【請求項６】
請求項５記載の燃料電池システムにおいて、
前記加湿器と前記燃料電池スタックの間の前記供給管には、前記カソードガスから水を分離する供給側気液分離装置が設けられ、
前記供給側気液分離装置は、前記エキスパンダよりも上方に配置されると共に、前記接続部に接続され分離した水を前記排出管に排出する排水管を有する
燃料電池システム。
【請求項７】
請求項１〜６のいずれか１項に記載の燃料電池システムにおいて、
前記エキスパンダよりも下流側の前記排出管は、前記接続部の上流側の曲部まで斜め上方に延在し、前記曲部から前記接続部に向かって斜め下方に延在している
燃料電池システム。
【請求項８】
請求項１〜７のいずれか１項に記載の燃料電池システムにおいて、
当該燃料電池システムは、燃料電池車両に搭載され、
前記エキスパンダの下流側の前記排出管は、前記エキスパンダから前記燃料電池車両の後方に延在し、
前記排水管は、前記気液分離装置から前記燃料電池車両の後方に延在して前記接続部に接続されている
燃料電池システム。
【請求項９】
請求項１〜８のいずれか１項に記載の燃料電池システムにおいて、
前記排水管は、前記気液分離装置との接続部分に固定されて下方に傾斜する硬質配管により構成される
燃料電池システム。
【発明の詳細な説明】
【技術分野】
【０００１】
本発明は、燃料電池スタックのガス及び水を排出する燃料電池システムに関する。
【背景技術】
【０００２】
燃料電池スタックは、アノードガス系装置による水素等のアノードガスの供給と、カソードガス系装置によるエア等のカソードガスの供給に基づき発電を行う。例えば、特許文献１には、カソードガスを圧縮して燃料電池スタックに供給すると共に、燃料電池スタックから排出されたカソードオフガスを膨張させるエキスパンダを備えたカソードガス系装置が開示されている。
【先行技術文献】
【特許文献】
【０００３】
【特許文献１】特開２０１２−１６４５１６号公報
【発明の概要】
【発明が解決しようとする課題】
【０００４】
ところで、特許文献１に開示されているように、エキスパンダをカソードオフガス流路に有する構成では、カソードオフガスに含まれる燃料電池スタックの生成水等の液体がエキスパンダ内に流入し易い。エキスパンダは、水が多量に溜まった場合に動作不良となる可能性がある。特に、燃料電池車両において燃料電池スタックの重力方向の下方側にエキスパンダを搭載した構成では、エキスパンダに水が流れ込む懸念が高まる。
【０００５】
本発明は、上記の課題を解決するためになされたものであって、エキスパンダに水が流入するのを抑制して、エキスパンダを安定的に動作させることができる燃料電池システムを提供することを目的とする。
【課題を解決するための手段】
【０００６】
前記の目的を達成するために、本発明の一態様は、燃料電池スタックと、前記燃料電池スタックにカソードガスを供給する供給管と、前記燃料電池スタックからカソードオフガスを排出する排出管と、前記排出管に連通し前記カソードオフガスを膨張させるエキスパンダと、前記燃料電池スタックと前記エキスパンダの間の前記排出管に設けられ、前記カソードオフガスに含まれる水を分離して排出する気液分離装置と、を備える燃料電池システムであって、前記気液分離装置は、前記エキスパンダの上方に配置されると共に、前記水を排出する排水管を有し、前記排水管は、前記エキスパンダよりも下流側の前記排出管の接続部に接続され、且つ前記気液分離装置から前記接続部に向かって前記エキスパンダから離間する方向へ斜め下方に延在している。
【発明の効果】
【０００７】
本発明によれば、燃料電池システムは、エキスパンダに水が流入するのを抑制して、エキスパンダを安定的に動作させることができる。
【図面の簡単な説明】
【０００８】
【図１】本発明の第１実施形態に係る燃料電池システムを部分的に示す説明図である。
【図２】燃料電池スタック及び補機ケースの側面断面図である。
【図３】図１の燃料電池システムのカソードガス系装置の配管構造を示す側面図である。
【図４】カソードガス系装置の流体の流通を示す側面図である。
【図５】燃料電池車両の後方に向かう加速度を受けた場合の排水管の状態を示す部分断面図である。
【図６】本発明の第２実施形態に係る燃料電池システムを部分的に示す説明図である。
【図７】図６の燃料電池システムのカソードガス系装置の配管構造を示す側面図である。
【発明を実施するための形態】
【０００９】
以下、本発明について好適な実施形態を挙げ、添付の図面を参照して詳細に説明する。
【００１０】
〔第１実施形態〕
本発明の第１実施形態に係る燃料電池システム１０は、図１に示すように、燃料電池スタック１２、アノードガス系装置１４及びカソードガス系装置１６を備える。燃料電池スタック１２は、アノードガス系装置１４から供給されるアノードガス（水素等の燃料ガス）と、カソードガス系装置１６から供給されるカソードガス（エア等の酸化剤ガス）とに基づき発電を行う。この燃料電池システム１０は、例えば、燃料電池車両１１（以下、単に車両１１ともいう）の図示しないモータルーム等に搭載される。
【００１１】
図２に示すように、燃料電池スタック１２は、アノードガスとカソードガスの電気化学反応により発電を行う複数の発電セル１８を有する。複数の発電セル１８は、燃料電池スタック１２を車両１１に搭載した状態で、電極面を立位姿勢にして車長方向（紙面手前及び紙面奥方向：矢印Ａ方向）に直交する車幅方向（矢印Ｂ方向）に沿って積層された積層体２０に構成されている。なお、複数の発電セル１８は、車長方向や重力方向（矢印Ｃ方向）に積層されていてもよい。
【００１２】
発電セル１８は、図示しない電解質膜・電極構造体（以下、「ＭＥＡ」という）と、ＭＥＡを挟持する図示しない２つのセパレータとで構成される。隣り合う発電セル１８同士のセパレータは、その外周同士が溶接、ろう付け、かしめ等により接合され、一体的な接合セパレータに構成される。
【００１３】
発電セル１８のＭＥＡは、電解質膜（例えば、固体高分子電解質膜（陽イオン交換膜））と、電解質膜の一方の面に設けられたアノード電極と、電解質膜の他方の面に設けられたカソード電極とを有する（共に不図示）。２つのセパレータは、ＭＥＡと対向し合う面の各々に、アノードガスを流通させるアノードガス流路と、カソードガスを流通させるカソードガス流路とを形成する。また、２つのセパレータ同士が対向し合う面には、冷却媒体を流通させる冷却媒体流路が形成される。アノードガス流路、カソードガス流路、冷却媒体流路は、各流体を矢印Ａ方向に流通させる。
【００１４】
また、複数の発電セル１８（積層体２０）は、アノードガス、カソードガス及び冷却媒体を、発電セル１８の積層方向（矢印Ｂ方向）に沿ってセパレータ面の各々に独立して流通させる複数の連通孔（アノードガス連通孔２２、カソードガス連通孔２４、冷却媒体連通孔２６）を備える。積層体２０内において、アノードガス連通孔２２はアノードガス流路に連通し、カソードガス連通孔２４はカソードガス流路に連通し、冷却媒体連通孔２６は冷却媒体流路に連通している。
【００１５】
燃料電池スタック１２に供給されたアノードガスは、アノードガス連通孔２２（アノード入口連通孔）を流通してアノードガス流路に流入する。アノード電極で発電に使用されたアノードオフガスは、アノードガス流路からアノードガス連通孔２２（アノード出口連通孔）に流出して燃料電池スタック１２の外部に排出される。
【００１６】
燃料電池スタック１２に供給されたカソードガスは、カソードガス連通孔２４（カソード入口連通孔）を流通してカソードガス流路に流入する。カソード電極で発電に使用されたカソードオフガスは、カソードガス流路からカソードガス連通孔２４（カソード出口連通孔）に流出して燃料電池スタック１２の外部に排出される。
【００１７】
燃料電池スタック１２に供給された冷却媒体は、冷却媒体連通孔２６（冷却媒体入口連通孔）を流通して冷却媒体流路に流入される。発電セル１８を冷却した冷却媒体は、冷却媒体流路から冷却媒体連通孔２６（冷却媒体出口連通孔）に流出して燃料電池スタック１２の外部に排出される。
【００１８】
さらに、本実施形態に係る燃料電池スタック１２は、スタックケース２８に積層体２０を収容している。スタックケース２８の発電セル１８の積層方向（矢印Ｂ方向）の両側面には、スタックケース２８の内部空間に連通する開孔２８ａが形成されている。
【００１９】
積層体２０の矢印Ｂ方向の一端側（矢印Ｂｒ側）には、図示しないターミナルプレート及び絶縁プレートが外方に向かって配置され、これらはスタックケース２８内に収容される。スタックケース２８の矢印Ｂｒ側には、スタックケース２８の開孔２８ａを閉塞するエンドプレート３０が取り付けられる。エンドプレート３０は、発電セル１８の積層方向に締付荷重を付与する。
【００２０】
積層体２０の矢印Ｂ方向の他端側（矢印Ｂｌ側）には、図示しないターミナルプレート及び絶縁プレートが外方に向かって配置され、これらはスタックケース２８内に収容される。そして、スタックケース２８の矢印Ｂｌ側には、開孔２８ａを閉塞するように補機ケース３２が取り付けられる。
【００２１】
補機ケース３２は、燃料電池システム１０の補機３４や配管３６の一部を収容及び保護するための保護筐体であり、スタックケース２８の矢印Ｂｌ側に固定される。補機ケース３２は、スタックケース２８に接合される凹形状の第１ケース部材３８と、第１ケース部材３８に接合される凹形状の第２ケース部材４０とを備え、これらの部材の内部に、補機３４を収納する収納空間３２ａを有する。
【００２２】
第１ケース部材３８は、ボルトによりスタックケース２８に接合され、スタックケース２８の内部空間と補機ケース３２の収納空間３２ａとを区画する取付壁部４２と、取付壁部４２の外縁に連なると共に矢印Ｂｌ方向に突出する周壁４４とを有する。取付壁部４２は、発電セル１８の積層体２０に積層方向の締付荷重を付与するエンドプレートとしての機能を有している。取付壁部４２には、発電セル１８のアノードガス連通孔２２、カソードガス連通孔２４、冷却媒体連通孔２６にそれぞれ連通して、流体の流通用の配管３６を接続する孔部４２ａが設けられている。
【００２３】
また、補機ケース３２内は、取付壁部４２に隣接して主にアノードガス系装置１４が設けられる第１空間４６と、第１空間４６に隣接して主にカソードガス系装置１６が設けられる第２空間４８とを有する。本実施形態に係る燃料電池システム１０の配管構造５０は、主にカソードガス系装置１６に関わり、その一部が補機ケース３２内の第２空間４８に設けられると共に、他部が補機ケース３２の外部に設けられる。
【００２４】
図１に戻り、次にカソードガス系装置１６の全体構成について説明する。カソードガス系装置１６は、配管構造５０を構成する配管３６として、外部のカソードガス（エア）を燃料電池スタック１２に供給する供給管５２と、燃料電池スタック１２から外部にカソードオフガスを排出する排出管５４とを有する。さらに、カソードガス系装置１６は、供給管５２と排出管５４の間を接続し、供給管５２を流通する水分を含むカソードガスを、燃料電池スタック１２に通さずに排出管５４に流通させるバイパス管５６を有する。
【００２５】
カソードガス系装置１６は、供給管５２及び排出管５４の途上に複数種類の補機３４を備える。具体的には、カソードガス系装置１６の供給系は、供給管５２上のカソードガスの流通方向上流側から下流側に向かって順に、エアクリーナ５８、エキスパンダ９８に連結するコンプレッサ９６（エキスパンダユニット６０）、インタークーラ６２、加湿器６４、供給側気液分離装置６６を備える。このため、供給管５２は、エアクリーナ５８とコンプレッサ９６の間を接続する第１供給管６８、コンプレッサ９６とインタークーラ６２の間を接続する第２供給管７０、インタークーラ６２と加湿器６４の間を接続する第３供給管７２、加湿器６４と供給側気液分離装置６６の間を接続する第４供給管７４、及び供給側気液分離装置６６と燃料電池スタック１２の間を接続する第５供給管７６を含んで構成される。
【００２６】
また、カソードガス系装置１６の排出系は、排出管５４上のカソードオフガスの流通方向上流側から下流側に向かって順に、前記加湿器６４、排出側気液分離装置７８、エキスパンダ９８（エキスパンダユニット６０）、希釈装置８０を備える。このため、排出管５４は、燃料電池スタック１２と加湿器６４の間を接続する第１排出管８２、加湿器６４と排出側気液分離装置７８の間を接続する第２排出管８４、排出側気液分離装置７８とエキスパンダ９８の間を接続する第３排出管８６、及びエキスパンダ９８と希釈装置８０の間を接続する第４排出管８８を含んで構成される。
【００２７】
エアクリーナ５８は、図示しない除去フィルタを内部に有し、外部から取り込んだエアに含まれる異物（ゴミ、塵芥、水等）を取り除き、このエアを第１供給管６８に流出する。
【００２８】
エキスパンダユニット６０は、ステータ（不図示）及びロータ９０を筐体９２（図１も参照）内に有し、燃料電池システム１０の電源（燃料電池スタック１２、図示しないバッテリ）から供給される電力によりロータ９０を回転させるモータ機構９４を備える。ロータ９０は、コンプレッサ９６を構成する第１フィン９６ａを一端に有すると共に、エキスパンダ９８を構成する第２フィン９８ａを他端に有する。また、筐体９２は、第１及び第２供給管６８、７０が連通すると共に第１フィン９６ａを収容するコンプレッサ９６の供給用空間と、第３及び第４排出管８６、８８が連通すると共に第２フィン９８ａを収容するエキスパンダ９８の排出用空間とを独立して備える。図３に示すように、第３排出管８６は、円筒状の筐体９２の外周面側に接続され、第４排出管８８は、円筒状の筐体９２の一端側中心部に接続される。
【００２９】
エキスパンダユニット６０は、図１に示すように、インバータ装置（Ｐｏｗｅｒ  Ｄｒｉｖｅ  Ｕｎｉｔ：ＰＤＵ６０ａ）の電力供給に基づき、ロータ９０の回転速度が調整される。カソードガス系装置１６は、ロータ９０（第１フィン９６ａ）の回転により供給管５２の第１供給管６８からカソードガスを吸引して、第２供給管７０に圧縮されたカソードガス（圧縮エア）を流出させる。
【００３０】
インタークーラ６２は、第２供給管７０を介してコンプレッサ９６から流入されるカソードガスを冷却して、第３供給管７２に流出させる。インタークーラ６２は、空冷式と水冷式の一方又は両方を採ることができる。第３供給管７２には、上述のバイパス管５６の一端が接続される。
【００３１】
加湿器６４は、第３供給管７２から供給されるカソードガスを、排出管５４のカソードオフガスを利用して加湿する。すなわち、カソードオフガスには、燃料電池スタック１２の発電で生じた水（生成水）が含まれており、加湿器６４は、この水をカソードガスに適宜移動させて第４供給管７４に流出させる。
【００３２】
供給側気液分離装置６６は、加湿されたカソードガスが供給され、カソードガスから水分を分離し適宜の湿潤状態として、第５供給管７６にカソードガスを流出させる。第５供給管７６は、燃料電池スタック１２のカソードガス連通孔２４に連通する孔部４２ａ（図２参照）に接続され、カソードガスを燃料電池スタック１２に供給する。
【００３３】
また、燃料電池システム１０は、アノードガス系装置１４にアノードオフガスの流路を開閉するバルブ１０６を備える。すなわち、燃料電池システム１０は、適宜のタイミングでバルブ１０６を開閉することで、アノードガス系装置１４の気液分離装置１４ａに流入したアノードオフガス（水及び水素ガス）をカソードガス系装置１６の排出系に排出する。
【００３４】
さらに、供給側気液分離装置６６には、排水管１０８が接続され、この排水管１０８は、所定経路を通って第４排出管８８に接続されている。排水管１０８の途中位置には、排水する水の量を調整するオリフィス１１０が設けられている。
【００３５】
一方、カソードガス系装置１６の第１排出管８２には、上述したように、燃料電池スタック１２の発電時に生じた生成水がカソードオフガスに含まれて排出される。このカソードオフガスは、第１排出管８２から加湿器６４に流入して供給側のカソードガスを加湿する。加湿器６４の下流側に接続される第２排出管８４には、加湿に利用されなかった水と共にカソードオフガスが流出される。
【００３６】
また、燃料電池システム１０は、燃料電池スタック１２の反応に伴い生成される生成水をカソードガス連通孔２４から排出するため、スタックケース２８と第４排出管８８の間にドレン排出管１００を設けている。このドレン排出管１００の途中位置には、ドレン排出管１００の流路を開閉するバルブ１０２が設けられる。さらに、第１排出管８２の途中位置には、第１排出管８２とドレン排出管１００との間を接続する分岐管８３が設けられている。すなわち、第１排出管８２を流通する水の一部は、バルブ１０２の開状態で、加湿器６４の上流側から分岐管８３に流入して第４排出管８８に排出される。
【００３７】
一方、加湿器６４の下流側に接続される第２排出管８４には、排出管５４のカソードオフガスの圧力を調整する背圧弁１１２が設けられている。背圧弁１１２は、例えばバタフライバルブとして構成され、燃料電池スタック１２に要求される発電電流値、図示しない圧力センサや流量センサで検出される圧力値や流量値に基づきその開度が制御される。
【００３８】
排出側気液分離装置７８は、第２排出管８４から流入されるカソードオフガスを、気体（主にエア）と液体（主に水）に分離して水分を除去することで、カソードオフガス中の水分濃度を低下させる。この排出側気液分離装置７８には、第２及び第３排出管８４、８６の他に、排水管１１４が接続されている。排水管１１４は、エキスパンダユニット６０から導出される第４排出管８８に接続されている。また排水管１１４には、内部流路を開閉するバルブ１１６が設けられている。
【００３９】
排出側気液分離装置７８は、気体に可及的に水を含まない状態として、この気体（カソードオフガス）を第３排出管８６に流出させる。このため例えば、排出側気液分離装置７８は、重力方向に適度な深さを有する筒体７８ａに形成されている（図３も参照）。第３排出管８６は、このカソードオフガスをエキスパンダ９８に流通させる。
【００４０】
エキスパンダ９８は、カソードオフガスにより第２フィン９８ａが回転することで、カソードオフガスの流体エネルギをコンプレッサ９６に伝達する。すなわち流体エネルギの再生装置として機能する。またエキスパンダ９８は、流体エネルギの回収に伴いカソードオフガスを膨張することでカソードオフガスの圧力を低下させ、このカソードオフガスを第４排出管８８に流出させる。
【００４１】
第３排出管８６の途中位置には、バイパス管５６の他端が接続されている。バイパス管５６には、管内を開閉するバイパス弁１２０が設けられる。バイパス弁１２０は、燃料電池システム１０のＥＣＵの制御下に適宜開閉することで、供給管５２のカソードガスを排出管５４に流通させ、排出管５４を介して排気する。
【００４２】
希釈装置８０は、図示しないフィルタを内部に有し、第４排出管８８を介して流通してきた気体及び液体が流入される。上述したように第４排出管８８には、排水管１０８、１１４、及びドレン排出管１００が接続されている。このため、希釈装置８０は、水素を希釈しつつ、気体や液体をクリーンな状態として車両１１の外部に排出する。
【００４３】
以上のように構成されるカソードガス系装置１６は、カソードオフガスが流通する排出管５４の上流側に多くの水が含まれる。ここで、エキスパンダ９８を排出管５４に接続した構成では、カソードオフガスの水が筐体９２（排出側空間）内に多量に流入した場合、エキスパンダ９８が動作不良となるおそれがある。また仮に、車両１１の周囲の気温が低温（氷点下以下）となりエキスパンダ９８に流入した水が凍結すると、エキスパンダ９８が故障する可能性がある。
【００４４】
このため、燃料電池システム１０の配管構造５０では、車両１１に搭載した状態（実際のシステム構成）において、エキスパンダ９８に水が流入することを可及的に回避する構成としている。以下、図３を参照して、実際のシステム構成について詳述していく。なお以下では、図３（又は図２）の矢印表記に基づき各構成の位置及び方向を説明する。図示例の矢印Ａ方向は車両１１の前後方向であり、矢印Ａｆ方向は車両１１の前方向に相当し、矢印Ａｒ方向は車両１１の後方向に相当する。図示例の矢印Ｂ方向は車両１１の左右方向であり、矢印Ｂｌ方向は車両１１の左方向に相当し、矢印Ｂｒ方向は車両１１の右方向に相当する。図示例の矢印Ｃ方向は車両１１の上下方向（重力方向）であり、矢印Ｃｔは車両１１の上方向に相当し、矢印Ｃｂは車両１１の下方向に相当する。
【００４５】
図３は、補機ケース３２の第１ケース部材３８から第２ケース部材４０を外した状態におけるカソードガス系装置１６（燃料電池システム１０）の配管構造５０を示す側面図である。なお、カソードガス系装置１６は、上述したようにアノードガス系装置１４の外側隣接位置に設けられており（図２も参照）、図３中では図示は省略するが、カソードガス系装置１６の奥側にアノードガス系装置１４の補機３４や配管３６が部分的に設けられる。
【００４６】
実際のシステム構成において、燃料電池スタック１２は、図示しないマウント構造によりモータルームに収納されている。エキスパンダユニット６０は、燃料電池スタック１２の重力方向下方（矢印Ｃｂ方向）で当該燃料電池スタック１２から離間し、且つ燃料電池スタック１２の矢印Ａｆ側と重なる位置に固定されている。エキスパンダユニット６０の周囲には、エアクリーナ５８及びインタークーラ６２が配置されている。つまり、カソードガス系装置１６の供給系上流側の補機３４（エアクリーナ５８、エキスパンダユニット６０、インタークーラ６２）は、補機ケース３２の外部に設けられる。
【００４７】
その一方で、カソードガス系装置１６の加湿器６４は、燃料電池スタック１２の側方（補機ケース３２内の上側）に設けられる。また、加湿器６４の重力方向下方（矢印Ｃｂ方向）（補機ケース３２内の下側）には、供給側気液分離装置６６及び排出側気液分離装置７８が設けられる。供給側気液分離装置６６は、補機ケース３２の矢印Ａｒ側に配置され、排出側気液分離装置７８は、補機ケース３２の矢印Ａｆ側に配置される。つまり、カソードガス系装置１６の加湿器６４、２つの気液分離装置６６、７８は、補機ケース３２内に収容される。
【００４８】
カソードガス系装置１６の供給管５２及び排出管５４は、上記のように配置された各補機３４を、図１に示す接続関係で連結する。具体的には、第１供給管６８は、エアクリーナ５８の上端部とエキスパンダユニット６０の筐体９２の矢印Ａｆ側との間を接続している。第２供給管７０は、エキスパンダユニット６０の上部とインタークーラ６２の矢印Ａｒ側との間を接続している。
【００４９】
第３供給管７２は、インタークーラ６２の上部と加湿器６４の矢印Ａｆ側との間を接続している。第３供給管７２は、補機ケース３２の外と内を貫通するように補機ケース３２に固定されるコネクタ部材１２２を有する。このコネクタ部材１２２は、補機ケース３２の外部においてバイパス管５６が接続される分岐部１２２ａを有するＴ型又はＹ型コネクタに構成されている。
【００５０】
第４供給管７４は、加湿器６４の矢印Ａｒ側と、供給側気液分離装置６６の上部との間を接続している。また、供給側気液分離装置６６と燃料電池スタック１２との間を接続する第５供給管７６は、取付壁部４２の孔部４２ａに接続される。
【００５１】
一方、第１排出管８２は、燃料電池スタック１２の矢印Ａｆ側且つ矢印Ｃ方向の中間部と、加湿器６４の矢印Ａｆ側との間を接続している。第１排出管８２から分岐する分岐管８３は、矢印Ａｒ方向に延在した後、下方に向かいドレン排出管１００に接続されている。第２排出管８４は、加湿器６４の筒状側面の下側から下方に突出し、排出側気液分離装置７８の上端部７８ｂに接続されている。第２排出管８４と排出側気液分離装置７８の接続箇所に設けられた継手１２４の内部には、背圧弁１１２が設けられている。
【００５２】
排出側気液分離装置７８は、第２排出管８４が接続される上端部７８ｂから矢印Ｃ方向の下方に所定長さ延在する筒体７８ａに形成されている。筒体７８ａの下部には、カソードオフガスから分離した水が貯留される一方で、排出側気液分離装置７８の上端部７８ｂには、水から分離した気体が流通する。この上端部７８ｂには、第３排出管８６が接続されると共にバイパス管５６が接続される。
【００５３】
バイパス管５６は、コネクタ部材１２２から補機ケース３２の外を矢印Ｃｂ方向に延在し補機ケース３２の下部に固定されたバルブ付コネクタ部材１２６に接続される外管１２８と、補機ケース３２内でバルブ付コネクタ部材１２６から上端部７８ｂに向かう内管１３０とを有する。バルブ付コネクタ部材１２６の内部にはバイパス弁１２０が設けられている。
【００５４】
第３排出管８６は、上端部７８ｂに固定されると共に補機ケース３２に固定されるコネクタ部材１３４と、コネクタ部材１３４に接続され補機ケース３２の外で矢印Ｃｂ方向に延びてエキスパンダユニット６０に接続される外管１３６とを備える。外管１３６は、エキスパンダユニット６０の筐体９２の矢印Ａｒ側に接続される。
【００５５】
そして、第４排出管８８は、エキスパンダユニット６０の矢印Ａｒ側の端部から矢印Ａｒ方向に向かって延在している。この第４排出管８８は、エキスパンダユニット６０の筐体９２から斜め上方に向かって所定長さ延在し、第４排出管８８に設定された曲部１３８に至る。そして、第４排出管８８は、曲部１３８において湾曲し、矢印Ａｒ方向且つ斜め下方に再び延在し、希釈装置８０（図１参照）に接続されている。希釈装置８０は、例えば、車両１１の矢印Ａｒ側に配置される。
【００５６】
排出側気液分離装置７８の排水管１１４は、補機ケース３２に固定され、バルブ１１６を内部に有するバルブ付コネクタ部材１４０を介して、筒体７８ａの下端部に接続されている。この排水管１１４は、補機ケース３２の外部に露出されて、モータルーム内を矢印Ａｒ方向且つ斜め下方に緩やかに延在している。また、排水管１１４は、途中位置１１４ａにおいて若干曲がり、下方に急角度となった後に第４排出管８８の接続コネクタ１４２に接続されている。第４排出管８８の接続コネクタ１４２は、第４排出管８８の曲部１３８よりも矢印Ａｒ方向（下流側）に向かって（エキスパンダユニット６０から）離れた位置に設定されている。
【００５７】
さらに、供給側気液分離装置６６の排水管１０８は、補機ケース３２に取り付けられるオリフィス付コネクタ部材１４４を介して、供給側気液分離装置６６の下端部に接続されている。排水管１０８は、補機ケース３２の外部に露出されて下方に向かって延在し、第４排出管８８の接続コネクタ１４２に接続されている。またドレン排出管１００は、燃料電池スタック１２の矢印Ｃｂ側の孔部４２ａから突出し、バルブ１０２を有するバルブ付コネクタ部材１４６を介して下方に延在し、接続コネクタ１４２に接続されている。例えば、接続コネクタ１４２は、メインの配管３６（第４排出管８８）に対し２つの配管３６（排水管１０８、排水管１１４）を接続可能な分岐部を有するマニホールドに構成されているとよい。
【００５８】
本実施形態に係る燃料電池システム１０の配管構造５０は、基本的には以上のように構成され、以下、その作用について説明する。
【００５９】
図１に示すように、燃料電池システム１０は、通常の運転時（燃料電池スタック１２の発電時）に、アノードガス系装置１４により燃料電池スタック１２にアノードガスを供給すると共に、燃料電池スタック１２からアノードオフガスを排出する。また燃料電池システム１０は、燃料電池スタック１２の発電時に、カソードガス系装置１６によりカソードガスを燃料電池スタック１２に供給すると共に、燃料電池スタック１２からカソードオフガスを排出する。
【００６０】
詳細には、図１及び図４に示すように、カソードガス系装置１６は、エアクリーナ５８を介して第１供給管６８にカソードガスを流入させる。このカソードガスは、コンプレッサ９６の駆動に基づき加圧され、第２供給管７０、インタークーラ６２及び第３供給管７２を介して加湿器６４に供給される。そしてカソードガスは、加湿器６４において加湿されると、第４供給管７４、供給側気液分離装置６６、第５供給管７６を介して燃料電池スタック１２に供給される。
【００６１】
カソードガスは、燃料電池スタック１２の発電により使用されることで、水を多量に含むカソードオフガスとなる。このカソードオフガスは、燃料電池スタック１２から第１排出管８２に排出される。そしてカソードオフガスは、第１排出管８２から加湿器６４に流入すると、保有する水分により供給するカソードガスを加湿する一方で、残った水分を含んだまま第２排出管８４に排出される。
【００６２】
さらに、カソードオフガスは、第２排出管８４から排出側気液分離装置７８に流入して、排出側気液分離装置７８により気体と液体（液水）に分離される。排出側気液分離装置７８により液水が分離されたカソードオフガスは、排出側気液分離装置７８の上端部７８ｂに接続された第３排出管８６を介してエキスパンダ９８に流通する。排出側気液分離装置７８の下流側に流出したカソードオフガスに含まれる液水は少ない。よって、エキスパンダ９８は、液水が流入することによる動作不良が抑制され、良好な運転状態を維持し続けることができる。
【００６３】
また、排出側気液分離装置７８は、カソードオフガスから分離した液水を、筒体７８ａの下端部に接続された排水管１１４を介して流出させる。ここで排水管１１４は、排出側気液分離装置７８から矢印Ａｒ方向（エキスパンダ９８から離間する方向）且つ斜め下方に傾斜している。このため、液水は、その自重により、排水管１１４の傾斜に沿って滞留することなく流通することができ、第４排出管８８の接続コネクタ１４２においてカソードオフガスに合流する。また図５に示すように、液水は、車両１１の前進時における加速度を受けることで、矢印Ａｒ方向に延在する排水管１１４内で矢印Ａｒ側にスムーズに移動して、第４排出管８８に合流する。従って、排出側気液分離装置７８から液水を良好に排出することができる。
【００６４】
第４排出管８８は、エキスパンダ９８から矢印Ａｒ方向且つ斜め上方に一旦延在した後に、曲部１３８から矢印Ａｒ方向且つ斜め下方に延在している。排水管１１４を通して第４排出管８８に流入する液水は、曲部１３８よりも後方の接続コネクタ１４２から合流することで、エキスパンダ９８側への逆流が防止される。なお、第４排出管８８の接続コネクタ１４２には、上述したように排水管１０８を介して供給側気液分離装置６６の液水や水素（アノードオフガス）も流入される。この液水についてもエキスパンダ９８側に逆流することを防止することができる。そして、第４排出管８８は、接続コネクタ１４２よりも後方の排出経路を通して、カソードオフガス（エア）、水、アノードオフガス（水素）を流通させ、さらに希釈装置８０を介してこれらを車両１１の外部に排出する。
【００６５】
〔第２実施形態〕
次に、本発明の第２実施形態に係る燃料電池システム１０Ａについて説明する。なお、以降の説明において、燃料電池システム１０と同一の構成又は同一の機能を有する構成には、同一の符号を付与してその詳細な説明は省略する。
【００６６】
図６に示すように、燃料電池システム１０Ａは、供給管５２（第３供給管７２）の途中位置に供給側バルブ１５０を備える点で、上記の燃料電池システム１０と異なる。供給側バルブ１５０は、図示しないＥＣＵの制御下に開閉操作がなされることで、供給管５２から燃料電池スタック１２へのカソードガスの供給又は供給停止を行う。
【００６７】
また、燃料電池システム１０Ａは、水が流通する箇所（ドレン排出管１００、アノードガス系装置１４の排水管１０８）のバルブ１０２、バルブ１０６にヒータ１０２ａ、１０６ａを備える。ヒータ１０２ａ、１０６ａは、低温環境下でバルブ１０２、１０６を加熱することにより、水の凍結によるバルブ１０２、１０６の動作不良（閉塞等）を回避する。
【００６８】
さらに、燃料電池システム１０Ａは、図７に示すように、第３供給管７２とバイパス管５６の分岐部分を構成するユニット構造体１５２を備える。ユニット構造体１５２は、補機ケース３２の外側に設けられる外側固定マニホールド１５４と、外側固定マニホールド１５４に連結されると共に補機ケース３２の内側に収容されるバルブユニット１５６とを含む。
【００６９】
外側固定マニホールド１５４は、その上端部１５４ａに第３供給管７２の可撓管が接続される。外側固定マニホールド１５４は、上端部１５４ａから矢印Ａｒ方向に延在する第１管部１５４ｂと、上端部１５４ａから下方に短く延在した後矢印Ａｒ方向に延在する第２管部１５４ｃとを備える。
【００７０】
バルブユニット１５６は、矢印Ａ方向に短く延在して第１管部１５４ｂが接続される第１筒部１５６ａと、同じく矢印Ａ方向に短く延在して第２管部１５４ｃが接続される第２筒部１５６ｂとを有する。第１筒部１５６ａと第２筒部１５６ｂは矢印Ｃ方向に並んで相互に連結されている。そして、第１筒部１５６ａの内部には供給側バルブ１５０が設けられ、第２筒部１５６ｂの内部にはバイパス弁１２０が設けられている。
【００７１】
第１筒部１５６ａは、バルブユニット１５６の矢印Ａｒ方向に設けられた加湿器６４に接続される一方で、第２筒部１５６ｂは、矢印Ａ方向後方に設けられた排出側気液分離装置１５８に接続される。すなわち、カソードガスは、インタークーラ６２の下流において第３供給管７２を流通すると、供給側バルブ１５０の開状態で、第１管部１５４ｂ、第１筒部１５６ａを流通して加湿器６４に流入する。またカソードガスは、バイパス弁１２０の開状態で、第２管部１５４ｃ、第２筒部１５６ｂを流通して排出側気液分離装置１５８に流入する。
【００７２】
排出側気液分離装置１５８は、補機ケース３２内において加湿器６４よりも矢印Ｃｂ方向に配置され、且つ矢印Ａ方向に延在している。排出側気液分離装置１５８は、上記の第２筒部１５６ｂに接続される供給系ポート１５８ａと、加湿器６４の下流側に設けられる第２排出管８４に接続される排出系ポート１５８ｂとを有する。排出系ポート１５８ｂは、加湿器６４の下部に連通し内部に背圧弁１１２が設けられた継手１２４に接続されている。
【００７３】
排出側気液分離装置１５８は、矢印Ａ方向に延在する内部の空間内で第２排出管８４のカソードオフガスを気体と液体に分離して水分を除去することで、カソードオフガス中の水分濃度を低下させる。そして排出側気液分離装置１５８の矢印Ａｒ側の端部には、気体（空気、水素等）を流出させる気体流出ポート１５８ｃと、分離した液体（液水）を流出させる液体流出ポート１５８ｄとが設けられている。
【００７４】
気体流出ポート１５８ｃは、排出側気液分離装置１５８の本体部分から上方に突出し、また第３排出管８６の一端が接続される固定コネクタ１６０が設けられている。第３排出管８６は、排出側気液分離装置１５８から下方に延在し、その他端がエキスパンダ９８に接続される。つまり、排出側気液分離装置１５８は、上方に突出する気体流出ポート１５８ｃから第３排出管８６に気体を流出することで、カソードオフガスの水分（液水）を除去することができる。
【００７５】
液体流出ポート１５８ｄは、排出側気液分離装置１５８の矢印Ａｒ側に設けられ、バルブ１１６を介して排水用コネクタ１６２に接続されている。排水用コネクタ１６２は、補機ケース３２の外側且つ下方に突出して排水管１１４が接続される。また、排水用コネクタ１６２には、供給側気液分離装置６６につながる排水管１０８と、分岐管８３がつながるドレン排出管１００とが接続されている。
【００７６】
排水管１１４は、排水用コネクタ１６２の下端に連結される硬質配管（樹脂配管、金属配管）１６４により構成されている。硬質配管１６４（排水管１１４）は、排水用コネクタ１６２の接続箇所から矢印Ａｒ方向且つ下方に緩やかに傾斜して延在している。硬質配管１６４が斜め下方に延在している途中位置には、矢印Ｂｌ側（図２参照：車幅方向）に第４排出管８８が接続される接続コネクタ１６４ａが設けられている。第４排出管８８は、エキスパンダ９８から矢印Ａｒ方向且つ上方（矢印Ｃｔ方向）に傾斜して延在し、また接続コネクタ１６４ａよりも若干上方に位置する曲部１３８を経由して、矢印Ａｒ方向且つ下方に延在して接続コネクタ１６４ａに接続されている。
【００７７】
第２実施形態に係る燃料電池システム１０Ａは、基本的には以上のように構成され、以下その作用効果について説明する。燃料電池システム１０Ａのカソードガス系装置１６では、コンプレッサ９６の駆動に基づきカソードガスを加圧することで、カソードガスが第３供給管７２を矢印Ｃｔ方向に流通してユニット構造体１５２内に流入する。ユニット構造体１５２では、供給側バルブ１５０が開放している場合に、第１管部１５４ｂ、第１筒部１５６ａを介してカソードガスを加湿器６４に供給する。カソードガスは、加湿器６４にて加湿されると、加湿器６４から供給側気液分離装置６６等を介して燃料電池スタック１２に供給される。
【００７８】
燃料電池スタック１２の発電により使用されたカソードオフガスは、第１排出管８２を介して加湿器６４に流入する。加湿器６４においてカソードオフガスは、保有する水分により供給するカソードガスを加湿する一方で、残った水分を含んだまま排出され、さらに排出系ポート１５８ｂを介して排出側気液分離装置１５８に流入する。
【００７９】
また、ユニット構造体１５２においてバイパス弁１２０が開放している場合には、第２管部１５４ｃ、第２筒部１５６ｂ、供給系ポート１５８ａを介して排出側気液分離装置１５８にカソードガスが供給される。排出側気液分離装置１５８では、カソードガス又はカソードオフガスが矢印Ａｒ方向に移動し、この移動時に気体と液水を分離する。そして、気体は、排出側気液分離装置１５８の上部の気体流出ポート１５８ｃ、固定コネクタ１６０を介して流出し、第３排出管８６に沿って矢印Ｃｂ方向のエキスパンダ９８に向かう。この気体に含まれる液水は少ないので、エキスパンダ９８は、液水が流入することによる動作不良が抑制され、良好な運転状態を維持し続けることができる。
【００８０】
一方、排出側気液分離装置１５８の液水は、装置後部の液体流出ポート１５８ｄを介して排水用コネクタ１６２に流入し、排水用コネクタ１６２から硬質配管１６４に流出する。硬質配管１６４は、傾斜角度が固定されている（可撓性を有していない）ことで液水をスムーズに流出させる。そして液水は、硬質配管１６４を流通する途中の接続コネクタ１６４ａにおいて、エキスパンダ９８から排出される気体と合流する。
【００８１】
ここで、エキスパンダ９８から延在する第４排出管８８は、矢印Ａ方向後方且つ矢印Ｃｔ方向に斜めに延在し、曲部１３８を経由して硬質配管１６４の接続コネクタ１６４ａに接続されている。カソードオフガスから分離した液水は、その自重により硬質配管１６４内を斜め下方に傾斜して流通しており、第４排出管８８に液体が向かうこと（つまりエキスパンダ９８側への逆流）が防止される。
【００８２】
本発明に係る燃料電池システム１０は、以下の効果を奏する。
【００８３】
燃料電池システム１０、１０Ａは、気液分離装置（排出側気液分離装置７８、１５８）の排水管１１４がエキスパンダ９８よりも下流側の排出管５４の接続部（接続コネクタ１４２、１６４ａ）に接続され、且つ排出側気液分離装置７８、１５８から接続コネクタ１４２、１６４ａに向かってエキスパンダ９８から離間する方向へ斜め下方に延在していることで、エキスパンダ９８に水が流入するのを抑制することができる。すなわち、排出側気液分離装置７８、１５８は、エキスパンダ９８の上方において、カソードオフガスから分離した水を、斜め下方に傾斜する排水管１１４を通じてエキスパンダ９８の下流側の排出管５４（第４排出管８８）に安定的に流入させる。第４排出管８８には、エキスパンダ９８からカソードオフガスが流通しており、排水管１１４から第４排出管８８に流通した水は逆流することなく排出管５４の下流側に流出する。よって、燃料電池システム１０、１０Ａは、水を殆ど含まないカソードオフガスを排出側気液分離装置７８、１５８からエキスパンダ９８に流入させ、エキスパンダ９８を安定的に動作させることができる。これにより、エキスパンダ９８の耐久性を大幅に高めることができ、また凍結等による損傷を抑制することができる。
【００８４】
また、エキスパンダ９８と排出側気液分離装置７８、１５８の間の排出管５４（第３排出管８６）は、排出側気液分離装置７８の上端部７８ｂ（気体流出ポート１５８ｃ）に接続されていることが好ましい。これにより、排出側気液分離装置７８、１５８は、水の自重に基づきカソードオフガスから分離した水を装置内の下部側に貯留するので、より確実に水を含まないカソードオフガスを排出管５４に流出することができる。
【００８５】
また、供給管５２と排出管５４の間には、供給管５２から排出管５４にカソードガスを流通可能なバイパス管５６が設けられ、バイパス管５６は、排出側気液分離装置７８、１５８に接続されているとよい。これにより、燃料電池システム１０（カソードガス系装置１６）は、バイパスしたカソードガスが排出側気液分離装置７８、１５８を通過することで、エキスパンダ９８に流通する気体の水分を大幅に低下させることができる。
【００８６】
また、供給管５２とバイパス管５６が接続される部分は、ユニット構造体１５２として構成され、ユニット構造体１５２は、供給管５２としてカソードガスを燃料電池スタック１２に向かわせる部分と、バイパス管５６として気液分離装置１５８に連通する部分とを有する。このようにユニット構造体１５２を有することで、燃料電池システム１０Ａは、供給管５２の分岐箇所がより簡単な構成となり、しかも排出側気液分離装置１５８にカソードガスを流通させる構造となる。よって、部品点数が削減され、作業効率を一層高めることができる。
【００８７】
また、燃料電池スタック１２とエキスパンダ９８の間の供給管５２及び排出管５４には、水を含むカソードオフガスによりカソードガスを加湿する加湿器６４が設けられ、排出側気液分離装置７８、１５８は、加湿器６４の下流側の排出管５４に設けられ、且つ加湿器６４の下方に配置されるとよい。このように、燃料電池システム１０、１０Ａの配管構造５０は、加湿器６４の下方に排出側気液分離装置７８、１５８が配置されていることで、加湿器６４内の水を自重によってスムーズに排出側気液分離装置７８、１５８に流入させることができる。すなわち、加湿器６４は、内部に多量の水が滞留することが抑制され、カソードガスを適度に加湿することができる。
【００８８】
また、加湿器６４と燃料電池スタック１２の間の供給管５２には、カソードガスから水を分離する供給側気液分離装置６６が設けられ、供給側気液分離装置６６は、エキスパンダ９８よりも上方に配置されると共に、接続コネクタ１４２に接続され分離した水を排出管５４に排出する排水管１０８を有するとよい。燃料電池システム１０は、供給側気液分離装置６６を備える構成であっても、排水管１０８を介して分離した水を排出管５４に容易に流入させることが可能となる。
【００８９】
また、エキスパンダ９８よりも下流側の排出管５４（第４排出管８８）は、接続コネクタ１４２、１６４ａの上流側の曲部１３８まで斜め上方に延在し、曲部１３８から接続コネクタ１４２、１６４ａに向かって斜め下方に延在しているとよい。これにより、排水管１１４から接続コネクタ１４２、１６４ａに流入した水が逆流することをより確実に防止することができ、エキスパンダ９８を一層安定的に動作させることができる。
【００９０】
また、当該燃料電池システム１０、１０Ａは、車両１１に搭載され、エキスパンダ９８の下流側の排出管５４（第４排出管８８）は、エキスパンダ９８から車両１１の後方に延在し、排水管１１４は、排出側気液分離装置７８、１５８から車両１１の後方（矢印Ａｒ方向）に延在して接続コネクタ１４２、１６４ａに接続されているとよい。これにより、車両１１の前方進行時にかかる加速度を利用して水を後方に流通させることができ、水の排出を一層スムーズに行うことができる。
【００９１】
また、排水管１１４は、排出側気液分離装置１５８との接続部分に固定されて下方に傾斜する硬質配管１６４により構成される。これにより、硬質配管１６４は、排水管１１４の傾斜角度を固定して、排出側気液分離装置１５８の水を安定的に斜め下方に流通させることができる。そのため、排水管１１４と排出管５４の接続部からエキスパンダ９８への水の逆流をより確実に抑制することができる。
【００９２】
なお、本発明は、上述の実施形態に限定されず、発明の要旨に沿って種々の改変が可能である。例えば、カソードガス系装置１６の供給管５２や排出管５４の経路は、上記構成に限定されず、排出側気液分離装置７８の排水管１１４がエキスパンダ９８をバイパスしていれば、その経路を自由に設計してよい。一例として、カソードガス系装置１６は、供給側気液分離装置６６を備えない構成でもよい。
【符号の説明】
【００９３】
１０…燃料電池システム                  １１…燃料電池車両
１２…燃料電池スタック                  １６…カソードガス系装置
３４…補機                              ３６…配管
５２…供給管                            ５４…排出管
５６…バイパス管                        ６０…エキスパンダユニット
６４…加湿器                            ６６…供給側気液分離装置
７８…排出側気液分離装置                ７８ａ…筒体
７８ｂ…上端部                          ９８…エキスパンダ
１０８、１１４…排水管                  １３８…曲部
１４２…接続コネクタ
【図１】
2020198180.tif 000003
【図２】
2020198180.tif 000004
【図３】
2020198180.tif 000005
【図４】
2020198180.tif 000006
【図５】
2020198180.tif 000007
【図６】
2020198180.tif 000008
【図７】
2020198180.tif 000009